(57)【要約】【課題】誤動作やいたずらを招来することなく、子供に対しても非常時にのみ確実に扉を開放させること。【解決手段】扉枠１０に設けられ、扉２０に設けたラッチ４０が当接することによって扉枠１０に対する扉２０の面外方向への移動を規制するラッチ受け５０において、扉枠１０に保持される基材部５１と、扉２０が閉じられた場合にラッチ４０に当接する当接部５２とを備え、当接部５２及び基材部５１を個別に構成するとともに、これら当接部５２及び基材部５１の間を係合手段６０によって互いに連結し、予め設定した値を超える外力が加えられた場合に係合手段６０による連結状態を解除して当接部５２を基材部５１から分離させる。【選択図】図４
2010163792.tif 000002
【特許請求の範囲】
【請求項１】
扉枠に設けられ、扉に設けたラッチが当接することによって前記扉枠に対する前記扉の面外方向への移動を規制するラッチ受けにおいて、
前記扉枠に保持される基材部と、前記扉が閉じられた場合に前記ラッチに当接する当接部とを備え、前記当接部は、予め設定した値を超える外力が加えられた場合に前記基材部から分離する態様で当該基材部に連結したことを特徴とするラッチ受け。
【請求項２】
前記当接部及び前記基材部を個別に構成するとともに、これら当接部及び基材部の間を係合手段によって互いに連結し、予め設定した値を超える外力が加えられた場合に前記係合手段による連結状態を解除することを特徴とする請求項１に記載のラッチ受け。
【請求項３】
前記当接部及び前記基材部を一体に成形するとともに、これら当接部及び基材部の間に薄肉部を形成し、予め設定した値を超える外力が加えられた場合に前記薄肉部を破断させることを特徴とする請求項１に記載のラッチ受け。
【請求項４】
扉にラッチを配設する一方、扉枠にラッチ受けを配設し、前記扉枠に対して前記扉を閉じた場合に前記ラッチを前記ラッチ受けに当接させることにより、前記扉枠に対する前記扉の面外方向への移動を規制するようにした建具において、
前記ラッチ受けは、前記扉枠に保持される基材部と、前記扉が閉じられた場合に前記ラッチに当接する当接部とを備え、前記当接部は、予め設定した値を超える外力が加えられた場合に前記基材部から分離する態様で当該基材部に連結したことを特徴とする建具。
【請求項５】
前記当接部及び前記基材部を個別に構成するとともに、これら当接部及び基材部の間を係合手段によって互いに連結し、予め設定した値を超える外力が加えられた場合に前記係合手段による連結状態を解除することを特徴とする請求項４に記載の建具。
【請求項６】
前記当接部及び前記基材部を一体に成形するとともに、これら当接部及び基材部の間に薄肉部を形成し、予め設定した値を超える外力が加えられた場合に前記薄肉部を破断させることを特徴とする請求項４に記載の建具。
【発明の詳細な説明】
【技術分野】
【０００１】
本発明は、ラッチ受け及び建具に関するものである。
【背景技術】
【０００２】
ヒンジによって開閉可能に支持された扉には、通常、その外縁面にラッチが設けられている。ラッチは、扉の外縁面から常時突出する方向に付勢されており、扉を閉じた場合に扉枠に設けたラッチ受けに当接し、扉を閉じた状態に維持する。扉に設けた握り玉やレバーを操作した場合には、ラッチが退行し、扉を面外方向へ向けて開放することが可能となる。
【０００３】
上記のような建具では、ラッチ錠に損傷を来した場合、握り玉やレバーを操作してもラッチを退行させることができず、扉を開放させることも困難となる。このため、この種の建具には、非常時開放機構を備えたものも提供されている。
【０００４】
例えば、特許文献１では、ラッチ受けにおいてラッチに当接する当接部を移動可能に配設するとともに、この当接部を付勢手段によって常時ラッチに対向する部位に位置させるようにしている。この建具によれば、扉を閉じた場合、ラッチがラッチ受けの当接部に当接するため、扉を閉じた状態に維持することが可能となる。一方、ラッチ錠に損傷を来した非常時には、付勢手段の付勢力に抗して当接部を操作すれば、当接部をラッチの対向域上から退避させることができるため、扉を開放させることが可能となる。
【０００５】
【特許文献１】特開２００７−３１５００８号公報
【発明の開示】
【発明が解決しようとする課題】
【０００６】
ところで、上記のように当接部を移動させるように構成した建具では、その操作性を考慮した場合、当接部を操作するためのレバーを操作し易い位置に配置することが好ましいのはいうまでもない。特に、未就学児等の子供に対しても非常時に扉を確実に開放させるためには、レバーの配置位置がきわめて重要となる。
【０００７】
しかしながら、非常時にのみ必要となるレバーを操作し易い位置に配置した場合には、不必要時の誤動作が頻発する恐れがあるばかりでなく、子供によるいたずらを招来する恐れもあり、扉本来の機能を損ねることになる。
【０００８】
本発明は、上記実情に鑑みて、誤動作やいたずらを招来することなく、子供に対しても非常時にのみ確実に扉を開放させることのできるラッチ受け及び建具を提供することを目的とする。
【課題を解決するための手段】
【０００９】
上記目的を達成するため、本発明に係るラッチ受けは、扉枠に設けられ、扉に設けたラッチが当接することによって前記扉枠に対する前記扉の面外方向への移動を規制するラッチ受けにおいて、前記扉枠に保持される基材部と、前記扉が閉じられた場合に前記ラッチに当接する当接部とを備え、前記当接部は、予め設定した値を超える外力が加えられた場合に前記基材部から分離する態様で当該基材部に連結したことを特徴とする。
【００１０】
また、本発明に係るラッチ受けは、上述したラッチ受けにおいて、前記当接部及び前記基材部を個別に構成するとともに、これら当接部及び基材部の間を係合手段によって互いに連結し、予め設定した値を超える外力が加えられた場合に前記係合手段による連結状態を解除することを特徴とする。
【００１１】
また、本発明に係るラッチ受けは、上述したラッチ受けにおいて、前記当接部及び前記基材部を一体に成形するとともに、これら当接部及び基材部の間に薄肉部を形成し、予め設定した値を超える外力が加えられた場合に前記薄肉部を破断させることを特徴とする。
【００１２】
また、本発明に係る建具は、扉にラッチを配設する一方、扉枠にラッチ受けを配設し、前記扉枠に対して前記扉を閉じた場合に前記ラッチを前記ラッチ受けに当接させることにより、前記扉枠に対する前記扉の面外方向への移動を規制するようにした建具において、前記ラッチ受けは、前記扉枠に保持される基材部と、前記扉が閉じられた場合に前記ラッチに当接する当接部とを備え、前記当接部は、予め設定した値を超える外力が加えられた場合に前記基材部から分離する態様で当該基材部に連結したことを特徴とする。
【００１３】
また、本発明に係る建具は、上述した建具において、前記当接部及び前記基材部を個別に構成するとともに、これら当接部及び基材部の間を係合手段によって互いに連結し、予め設定した値を超える外力が加えられた場合に前記係合手段による連結状態を解除することを特徴とする。
【００１４】
また、本発明に係る建具は、上述した建具において、前記当接部及び前記基材部を一体に成形するとともに、これら当接部及び基材部の間に薄肉部を形成し、予め設定した値を超える外力が加えられた場合に前記薄肉部を破断させることを特徴とする。
【発明の効果】
【００１５】
本発明によれば、予め設定した値を超える外力が加えられた場合にラッチ受けの基材部に対して当接部が分離することになる。従って、外部から操作するためのレバー等の操作部を設ける必要がなく、通常の使用時において誤動作やいたずらを招来する恐れがない。一方、ラッチ錠に損傷を来した非常時には、例えば扉に体当たりする等してラッチ受けに外力を加えれば、ラッチ受けによる扉の開放規制状態が解除されることになり、子供であっても扉を確実に開放することが可能となる。
【発明を実施するための最良の形態】
【００１６】
以下、添付図面を参照しながら本発明に係るラッチ受け及び建具の好適な実施の形態について詳細に説明する。
【００１７】
（実施の形態１）
図１は、本発明の実施の形態１であるラッチ受けを適用した建具の斜視図である。ここで例示する建具は、浴室のドア等、建造物の室内において部屋を仕切る壁に設けられるドアであり、扉枠１０及び扉２０を備えている。扉枠１０は、上枠部材１１、下枠部材１２及び左右一対の縦枠部材１３，１４を四周枠組みすることによって構成したものである。扉２０は、扉枠１０の開口を閉塞することのできる大きさを有した板状を成すものである。この扉２０は、一方の側縁部と扉枠１０の一方の縦枠部材１３との間が上下一対のヒンジ３０によって連結してあり、鉛直軸に沿ったヒンジ３０の軸回りに回動することによって扉枠１０の面外方向に開閉可能である。
【００１８】
この建具では、扉２０において他方の側縁部にラッチ４０が設けてある一方、扉枠１０にラッチ受け５０が設けてある。ラッチ４０は、扉２０の内部に配設したラッチ錠４１の構成要素であり、図示せぬバネによって扉２０の外縁面２０ａから常時突出する方向に付勢されている。図５に示すように、ラッチ４０には、当接面４０ａと湾曲案内面４０ｂとが設けてある。当接面４０ａは、扉２０の外縁面２０ａに対して直角となる態様で延在するものである。これに対して湾曲案内面４０ｂは、ラッチ４０の先端に向かうに従って漸次当接面４０ａとの距離が小さくなるように弧状に延在したもので、扉２０を閉じる際に扉枠１０の縦枠部材１４に当接する部位に形成してある。このラッチ４０は、扉２０の表裏両面に設けたレバー２１を操作した場合、並びに湾曲案内面４０ｂを押圧した場合、バネ（図示せず）の付勢力に抗して退行させることが可能である。
【００１９】
ラッチ受け５０は、扉枠１０においてラッチ４０に対応する縦枠部材１４の内縁面１４ａに配設したもので、図２〜図４に示すように、合成樹脂材によって個別に構成した基材部５１と当接部５２とを備えている。基材部５１は、側片５１ａの両端部からそれぞれ互いに平行となるように上片５１ｂ及び下片５１ｃが突設した略コの字状を成すものである。基材部５１の上片５１ｂ及び下片５１ｃには、それぞれ取付ネジ（図示せず）を挿通するためのネジ挿通孔５１ｄが設けてある。当接部５２は、基材部５１の上片５１ｂと下片５１ｃとの先端面間を連結するように設けたもので、基材部５１の上片５１ｂ、下片５１ｃ及び側片５１ａとの間に略矩形状のラッチ収容孔５３を画成している。
【００２０】
これら基材部５１及び当接部５２の間には、係合手段６０が設けてある。係合手段６０は、通常状態においては基材部５１及び当接部５２を互いに連結する一方、基材部５１及び当接部５２を引き離す方向に向けて予め設定した値を超える外力が加えられた場合に両者の連結状態を解除するものである。本実施の形態１では、基材部５１の上片５１ｂ及び下片５１ｃにそれぞれ固定側係合面６１を設け、かつ当接部５２において基材部５１の固定側係合面６１に対応する部位に可動側係合面６２を有した一対の弾性係合片６３を設けることによって係合手段６０を構成している。
【００２１】
固定側係合面６１は、図３及び図４に示すように、基材部５１の背面に凹所を形成することによって構成したものである。具体的には、基材部５１の上片５１ｂ及び下片５１ｃにおいてそれぞれ先端面から個々の延在方向に沿って背面に開口するように断面矩形状の溝５１ｅを形成し、それぞれの溝５１ｅの奥側端部を互いに対向する向きに屈曲することによって固定側係合面６１を設けるようにしている。
【００２２】
弾性係合片６３は、当接部５２において基材部５１の上片５１ｂ及び下片５１ｃに対応する部位から互いに平行となるように突設したもので、個々の先端部に可動側係合面６２及び摺動案内面６３ａを有している。可動側係合面６２は、弾性係合片６３の先端部から当接部５２に対向し、かつ互いに近接する方向に向けて延在したものである。この可動側係合面６２は、弾性係合片６３をそれぞれ基材部５１の溝５１ｅに配置し、かつ上片５１ｂ及び下片５１ｃの先端面にそれぞれ当接部５２を当接させた場合に固定側係合面６１に当接するようにその位置が設定してある。摺動案内面６３ａは、弾性係合片６３の先端から当接部５２に向かうに従って漸次互いの間隔が小さくなるように傾斜延在し、それぞれの延在端部が対応する可動側係合面６２に会合するものである。
【００２３】
このラッチ受け５０は、弾性係合片６３の可動側係合面６２をそれぞれ基材部５１の固定側係合面６１に当接させ、基材部５１と当接部５２との間にラッチ収容孔５３を画成した状態で、図１に示すように、扉枠１０の縦枠部材１４において扉２０のラッチ４０に対応する部位に配設する。この場合、ラッチ受け５０は、図１に示すように、基材部５１の背面を縦枠部材１４に対向させる。さらに、図５に示すように、扉２０を閉じる際にラッチ４０の湾曲案内面４０ｂが当接部５２に当接し、その後、ラッチ４０の当接面４０ａがラッチ収容孔５３において当接部５２に当接するようにラッチ受け５０の向きを設定し、ネジ挿通孔５１ｄを介して縦枠部材１３，１４に取付ネジ（図示せず）を締結することによりラッチ受け５０を縦枠部材１４に固定する。
【００２４】
上記のように構成した建具においては、扉２０を閉じると、図５の上方に示すように、ラッチ４０の当接面４０ａがラッチ受け５０のラッチ収容孔５３において当接部５２に当接することになり、扉枠１０に対して扉２０を閉じた状態に維持することが可能となる。この状態からレバー２１を操作し、ラッチ錠４１の図示せぬバネの付勢力に抗してラッチ４０を退行させれば、当接面４０ａと当接部５２との当接状態が解除されるため、扉枠１０に対して扉２０を開放させることができる。
【００２５】
一方、ラッチ錠４１に損傷を来たし、レバー２１を操作してもラッチ４０を退行させることができない非常時の場合には、扉２０を開放方向に向けて強く押す、あるいは開放方向に向けて強く引けば良い。すなわち、扉２０を開放方向に向けて強く押す、あるいは開放方向に向けて強く引くと、ラッチ４０の当接面４０ａを介してラッチ受け５０の基材部５１と当接部５２とに引き離す方向に向けて外力が作用することになる。基材部５１の固定側係合面６１と弾性係合片６３の可動側係合面６２との当接状態を維持できなくなる程度に外力が大きくなると、例えば６０ｋｇｆを超える外力が作用すると、図４及び図５の下方に示すように、基材部５１に対して当接部５２が分離される。従って、例えば扉２０に体当たりすれば、何らの操作を要することなくラッチ受け５０による扉２０の開放規制状態を解除することができ、たとえ未就学児等の子供であっても、ラッチ４０が突出したままの扉２０を確実に開放することが可能となる。しかも、単に扉２０を介して外力を加えればよいため、当接部５２を操作するための部材が不要であり、通常の使用時において誤動作やいたずらを招来する恐れもない。
【００２６】
扉２０が開放した後においては、当接部５２の弾性係合片６３をそれぞれ基材部５１の溝５１ｅに挿入し、可動側係合面６２を基材部５１の固定側係合面６１に当接させれば、扉２０を閉じた際に当接部５２をラッチ４０の当接面４０ａに当接させることができ、再び扉２０を閉じた状態に維持することも可能である。
【００２７】
尚、上述した実施の形態１では、可動側係合面６２を有した弾性係合片６３と、固定側係合面６１とによって係合手段６０を構成しているが、当接部５２及び基材部５１の間を互いに連結し、予め設定した値を超える外力が加えられた場合に連結状態が解除されるものであれば、必ずしもこれらの構成に限らない。また、可動側係合面６２を有した弾性係合片６３と、固定側係合面６１とによって係合手段６０を構成する場合に上述した実施の形態では、当接部５２に弾性係合片６３を設ける一方、基材部５１に固定側係合面６１を形成しているが、当接部５２に固定側係合面を設け、基材部５１に弾性係合片を設けるようにしても良いし、当接部５２及び基材部５１にそれぞれ弾性係合片及び固定側係合面の双方を設けるようにしても構わない。
【００２８】
また、上述した実施の形態１では、外力が６０ｋｇｆを超えた場合に基材部と当接部とを分離させているが、必ずしもこの値である必要はなく、例えば、５０〜７０ｋｇｆの外力に設定しても良い。尚、この外力の値は、例えばラッチ受けの材料となる合成樹脂の種類、固定側係合面及び可動側係合面の当接面積、外力の方向に対する固定側係合面及び可動側係合面の交差角度、固定側係合面及び可動側係合面の摩擦係数、弾性係合片の横断面積等々の条件を適宜選択・変更することにより、所望の値に調整することが可能である。
【００２９】
（実施の形態２）
図６〜図８は、本発明の実施の形態２であるラッチ受け７０を示した斜視図である。ここで例示するラッチ受け７０は、実施の形態１のラッチ受け５０と同様に、浴室のドア等、建造物の室内において部屋を仕切る壁に設けられるドアの扉枠１０を適用対象とするものである。尚、扉枠１０が上枠部材１１、下枠部材１２及び左右一対の縦枠部材１３，１４を四周枠組みすることによって構成したものである点、扉枠１０の一方の縦枠部材１３に上下一対のヒンジ３０を介して扉２０の一方の側縁部が回動可能に連結してある点、扉２０の他方の側縁部に常時突出するように付勢されたラッチ４０が設けてある点、ラッチ４０が当接面４０ａと湾曲案内面４０ｂを有している点は、いずれも実施の形態１と同様であり、同一の符号を付してそれぞれの詳細説明を省略する。また、実施の形態１と同様の構成に関しても同一の符号を付してそれぞれの詳細説明を省略する。
【００３０】
ラッチ受け７０は、扉枠１０においてラッチ４０に対応する縦枠部材１４の内縁面１４ａに配設したもので、合成樹脂材によって一体に成形した基材部７１と当接部７２とを有している。基材部７１は、側片７１ａの両端部からそれぞれ互いに平行となるように上片７１ｂ及び下片７１ｃが突設した略コの字状を成すものである。基材部７１の上片７１ｂ及び下片７１ｃには、それぞれ取付ネジ（図示せず）を挿通するためのネジ挿通孔７１ｄが設けてある。当接部７２は、基材部７１の上片７１ｂ、下片７１ｃ及び側片７１ａとの間に略矩形状のラッチ収容孔７３を画成するもので、基材部７１の上片７１ｂ及び下片７１ｃに対してそれぞれ薄肉部７４を介して連結してある。薄肉部７４は、基材部７１と当接部７２との間に位置する部位の背面に一条の溝７４ａを形成することによって構成したものである。この薄肉部７４は、通常状態においては基材部７１及び当接部７２を互いに連結する一方、基材部７１及び当接部７２を引き離す方向に向けて予め設定した値を超える外力が加えられた場合に破断して両者の連結状態を解除するものである。外力の値としては、例えば実施の形態１と同様に、６０ｋｇｆに設定してある。
【００３１】
このラッチ受け７０は、扉枠１０の縦枠部材１４において扉２０のラッチ４０に対応する部位に配設する。この場合、ラッチ受け７０は、基材部７１の背面を縦枠部材１４に対向させる。さらに、扉２０を閉じる際にラッチ４０の湾曲案内面４０ｂが当接部７２に当接し、その後、ラッチ４０の当接面４０ａがラッチ収容孔７３において当接部７２に当接するようにラッチ受け７０の向きを設定し、ネジ挿通孔７１ｄを介して縦枠部材１４に取付ネジ（図示せず）を締結することによりラッチ受け７０を縦枠部材１４に固定する。
【００３２】
上記のように構成した建具においては、扉２０を閉じると、ラッチ４０の当接面４０ａがラッチ受け７０のラッチ収容孔７３において当接部７２に当接することになり、扉枠１０に対して扉２０を閉じた状態に維持することが可能となる。この状態からレバー２１を操作し、ラッチ錠４１の図示せぬバネの付勢力に抗してラッチ４０を退行させれば、当接面４０ａと当接部７２との当接状態が解除されるため、扉枠１０に対して扉２０を開放させることができる。
【００３３】
一方、ラッチ錠４１に損傷を来たし、レバー２１を操作してもラッチ４０を退行させることができない非常時の場合には、扉２０を開放方向に向けて強く押す、あるいは開放方向に向けて強く引けば良い。すなわち、扉２０を開放方向に向けて強く押す、あるいは開放方向に向けて強く引くと、ラッチ４０の当接面４０ａを介してラッチ受け７０の基材部７１と当接部７２とに引き離す方向に向けて外力が作用することになる。この外力が上述の値を超えて薄肉部７４が破断すると、図８に示すように、基材部７１に対して当接部７２が分離される。従って、例えば扉２０に体当たりすれば、何らの操作を要することなくラッチ受け７０による扉２０の開放規制状態を解除することができ、たとえ未就学児等の子供であっても扉２０を確実に開放することが可能となる。しかも、単に扉２０を介して外力を加えればよいため、当接部７２を操作するための部材が不要であり、通常の使用時において誤動作やいたずらを招来する恐れもない。
【００３４】
尚、上述した実施の形態２では、基材部７１の上片７１ｂ及び下片７１ｃにおいてそれぞれの先端面を連結するように当接部７２を構成し、同一の直線上となる部位に薄肉部７４を形成するようにしているが、予め設定した値を超える外力が加えられた場合に破断すれば、必ずしもこの構成に限らない。
【００３５】
また、上述した実施の形態２においても外力が６０ｋｇｆを超えた場合に基材部と当接部とを破断して分離させているが、必ずしもこの値である必要はなく、例えば、５０〜７０ｋｇｆの外力に設定しても良い。尚、この外力の値は、例えばラッチ受けの材料となる合成樹脂の種類、薄肉部の板厚等々の条件を適宜変更することにより、所望の値に調整することが可能である。
【図面の簡単な説明】
【００３６】
【図１】本発明の実施の形態１であるラッチ受けを適用した建具を示すもので、扉枠に対して扉を閉じた状態及び扉枠に対して扉を開放した状態の斜視図である。
【図２】図１に示した建具に適用するラッチ受け５０の外観斜視図である。
【図３】図２に示したラッチ受けの背面図である。
【図４】図２に示したラッチ受けの分解斜視図である。
【図５】図１に示した建具において扉が閉じた状態とラッチ受けの当接部が基材部から分離した状態を示す平面図である。
【図６】本発明の実施の形態２であるラッチ受けの外観斜視図である。
【図７】図６に示したラッチ受けを裏側から見た斜視図である。
【図８】図６に示したラッチ受けの当接部が基材部から分離した状態を示す斜視図である。
【符号の説明】
【００３７】
１０      扉枠
２０      扉
４０      ラッチ
５０      ラッチ受け
５１      基材部
５２      当接部
６０      係合手段
６１      固定側係合面
６２      可動側係合面
６３      弾性係合片
６３ａ      摺動案内面
７０      ラッチ受け
７１      基材部
７２      当接部
７４      薄肉部
【図１】
2010163792.tif 000003
【図２】
2010163792.tif 000004
【図３】
2010163792.tif 000005
【図４】
2010163792.tif 000006
【図５】
2010163792.tif 000007
【図６】
2010163792.tif 000008
【図７】
2010163792.tif 000009
【図８】
2010163792.tif 000010